(57)【特許請求の範囲】
【請求項１】
シャッターカーテンの表面又は裏面に支持部材を備え、該支持部材に被支持部材を支持するようにしたシャッター装置において、
前記シャッターカーテンの表面又は裏面に、間隔を置いて向かい合う凸状又は凹状の二つの被係合部を設けるとともに、前記支持部材の一端側と他端側のそれぞれに、前記被係合部に対し前記表面又は前記裏面に沿う方向のスライドにより係脱可能な凹状又は凸状の係合部を設け、
前記支持部材を一方へスライドさせて前記一端側の係合部が対向する前記被係合部に係止された後に、同支持部材を他方へスライドさせて前記他端側の係合部が対向する前記被係合部に係止されるようにし、
前記シャッターカーテンには、前記被支持部材の一部を露出する貫通孔が設けられ、
前記貫通孔の前記スライドの方向の寸法は、前記支持部材を前記一方と前記他方の前記被係合部に係止するのに伴って、前記被支持部材が前記一方及び前記他方へスライドした際に、そのスライドを許容するように設定されていることを特徴とするシャッター装置。
【請求項２】
前記被支持部材は、施錠装置における操作部であり、前端側に鍵を挿入するための鍵挿入部を突出させ、該鍵挿入部を前記貫通孔によって露出していることを特徴とする請求項１記載のシャッター装置。
【請求項３】
前記被支持部材は、前記貫通孔から表側へ突出しないように、前記シャッターカーテンの裏側で前記支持部材によって支持されていることを特徴とする請求項１又は２記載のシャッター装置。
【請求項４】
前記二つの被係合部を上下方向に間隔を置いて対向する凹状に形成するとともに、上側の前記被係合部の深さを下側の前記被係合部の深さよりも深くし、
前記二つの係合部の各々を、対向する前記被係合部に挿入可能な凸状に形成し、
前記支持部材を上方へスライドさせて上側の前記係合部が対向する前記被係合部に挿入された後に、同支持部材を下方へスライドさせて下側の前記係合部が対向する前記被係合部に挿入されるようにしたことを特徴とする請求項１乃至３何れか１項記載のシャッター装置。
【請求項５】
前記二つの被係合部に係合した前記支持部材に、固定部材を止着し、該固定部材の端部側と、前記支持部材の係合部との間に、前記被係合部の縁部分が挟持されるようにしたことを特徴とする請求項１乃至４何れか１項記載のシャッター装置。
【発明の詳細な説明】
【技術分野】
【０００１】
本発明は、シャッターカーテンの表面又は裏面に施錠装置や手掛け部材等の被支持部材を支持するようにしているシャッター装置に関するものである。
【背景技術】
【０００２】
従来、この種の発明には、シャッターカーテンを構成するスラットに貫通孔を設け、該貫通孔に施錠装置や手掛け部等を挿通して係止するようにしたものがある（例えば、特許文献１参照）。
このような従来技術によれば、施錠装置の鍵挿入部や、手掛け部の開口縁がスラットの表面から突出するため、シャッターカーテンが巻取軸に巻き重ねられた際に、前記突出部分と巻き重ねられたスラットとが擦れて傷ついてしまうおそれがある。
そこで、例えば、特許文献２に記載された発明のように、スラットの裏側に支持部材（スライド部材３０）を設け、該支持部材に前記施錠装置や前記手掛け部等の被支持部材を支持することで、前述したような突出部分を生じないようにすることが提案される。
【０００３】
しかしながら、特許文献２に記載される構造では、施錠装置のメンテナンス等のために支持部材（スライド部材３０）を外す場合、該支持部材を開閉体幅方向へスライドさせてスラットから抜かなければならず、そのメンテナンス作業が困難である。
【先行技術文献】
【特許文献】
【０００４】
【特許文献１】特開２００５−１８００３０号公報
【特許文献２】特開２００５−２７３３２３号公報
【発明の概要】
【発明が解決しようとする課題】
【０００５】
本発明は、このような問題に対処することを課題の一例とするものである。すなわち、シャッターカーテンに施錠装置や手掛け部材等の被支持部材を容易に着脱できるようにすること、前記被支持部材に対するメンテナンス性を向上すること、等が本発明の目的である。
【課題を解決するための手段】
【０００６】
上記課題を解決するための技術的手段は、シャッターカーテンの表面又は裏面に支持部材を備え、該支持部材に被支持部材を支持するようにしたシャッター装置において、前記シャッターカーテンの表面又は裏面に、間隔を置いて向かい合う凸状又は凹状の二つの被係合部を設けるとともに、前記支持部材の一端側と他端側のそれぞれに、前記被係合部に対し前記表面又は前記裏面に沿う方向のスライドにより係脱可能な凹状又は凸状の係合部を設け、前記支持部材を一方へスライドさせて前記一端側の係合部が対向する前記被係合部に係止された後に、同支持部材を他方へスライドさせて前記他端側の係合部が対向する前記被係合部に係止されるようにし、前記シャッターカーテンには、前記被支持部材の一部を露出する貫通孔が設けられ、前記貫通孔の前記スライドの方向の寸法は、前記支持部材を前記一方と前記他方の前記被係合部に係止するのに伴って、前記被支持部材が前記一方及び前記他方へスライドした際に、そのスライドを許容するように設定されていることを特徴とする。
【発明の効果】
【０００７】
本発明によれば、支持部材をシャッターカーテンの表面又は裏面に沿う一方と他方へのスライドによって容易に係脱することができ、ひいては、支持部材によって支持される被支持部材（例えば、施錠装置や手掛け部材等）に対するメンテナンス性を向上することができる。
【図面の簡単な説明】
【０００８】
【図１】本発明に係るシャッター装置の一例を示す背面図である。
【図２】支持部材に対し被支持部材を組み付けようとしている状態を示す断面図である。
【図３】スラットに対し支持部材を係合する手順を示す断面図である。
【図４】スラットに係合した支持部材を固定部材によって固定する手順を示す断面図である。
【発明を実施するための形態】
【０００９】
本発明を実施するための一形態では、シャッターカーテンの表面又は裏面に支持部材を備え、該支持部材に被支持部材を支持するようにしたシャッター装置において、前記シャッターカーテンの表面又は裏面に、間隔を置いて向かい合う凸状又は凹状の二つの被係合部を設けるとともに、前記支持部材の一端側と他端側のそれぞれに、前記被係合部に対し前記表面又は前記裏面に沿う方向のスライドにより係脱可能な凹状又は凸状の係合部を設け、前記支持部材を一方へスライドさせて前記一端側の係合部が対向する前記被係合部に係止された後に、同支持部材を他方へスライドさせて前記他端側の係合部が対向する前記被係合部に係止されるようにしたことを特徴とする。
この構成によれば、支持部材をシャッターカーテンに組み付ける際、該支持部材を一方へスライドさせて一端側の係合部を被係合部に係合した後、同支持部材を他方へスライドさせて他端側の係合部を被係合部に係合すればよい。また、前記と逆の手順によりシャッターカーテンから支持部材を取り外すことが可能である。
【００１０】
また、他の形態では、前記二つの被係合部を上下方向に間隔を置いて対向する凹状に形成するとともに、上側の前記被係合部の深さを下側の前記被係合部の深さよりも深くし、前記二つの係合部の各々を、対向する前記被係合部に挿入可能な凸状に形成し、前記支持部材を上方へスライドさせて上側の前記係合部が対向する前記被係合部に挿入された後に、同支持部材を下方へスライドさせて下側の前記係合部が対向する前記被係合部に挿入されるようにした。
この構成によれば、上下の係合部をそれぞれ対応する被係合部に係合した状態において、その係合状態を支持部材の自重によって保持することができる。
【００１１】
また、他の形態では、前記二つの被係合部に係合した前記支持部材に、固定部材を止着し、該固定部材の端部側と、前記支持部材の係合部との間に、前記被係合部の縁部分が挟持されるようにした。
この構成によれば、支持部材を固定部材によって頑強に保持することができる。
【００１２】
また、他の形態では、前記シャッターカーテンには、前記被支持部材の一部を露出する貫通孔が設けられ、前記被支持部材は、前記貫通孔から表側へ突出しないように、前記シャッターカーテンの裏側で前記支持部材によって支持されている。
この構成によれば、被支持部材の一部分を露出させた状態で、該被支持部材をシャッターカーテンの表面から突出しないように保持することができ、ひいては、シャッターカーテンが巻取り軸に巻き取られた場合等に、突出する被支持部材によって該被支持部材やシャッターカーテンが傷ついてしまうようなことを防ぐことができる。
なお、この作用効果は、上記形態とは独立した以下の発明においても同様に奏することができる。
【００１３】
すなわち、この独立した発明は、シャッターカーテンの表面又は裏面に係合した支持部材を備え、該支持部材に被支持部材を支持するようにしたシャッター装置において、前記シャッターカーテンには、前記被支持部材の一部を露出する貫通孔が設けられ、前記被支持部材は、前記貫通孔から表側へ突出しないように、前記シャッターカーテンの裏側で前記支持部材によって支持されている。この発明には、シャッターカーテンに対し前記支持部材を着脱可能に設けた態様、及びシャッターカーテンに対し前記支持部材を取り外し不能に固定した態様等を含む。
【００１４】
以下、本発明の好ましい実施の形態を図面に基づいて説明する。
【００１５】
本実施の形態は、住宅やビル、倉庫、工場、地下街、トンネル、車両の荷台等の構築・構造物における開口部分や内部に配設され、前記開口部分を開閉したり、躯体内部の空間を仕切ったり開放したりするシャッター装置に適用される。
【００１６】
このシャッター装置１は、図１に示すように、上下方向へスライドすることで空間を仕切ったり開放したりするシャッターカーテン１０と、該シャッターカーテン１０の幅方向の端部を囲んで開閉方向へ案内するガイドレール２０と、シャッターカーテン１０をその開方方向側で巻き取ったり繰り出したりする巻取装置３０とを具備し、シャッターカーテン１０の表面又は裏面（図示例では裏面）に支持部材１３を設け、該支持部材１３によって被支持部材４１を支持するようにしている（図３及び４参照）。
【００１７】
シャッターカーテン１０は、横長矩形板状のスラット１１，１１’を、隣接するスラット間で回動するように複数連接し、これら複数のスラット１１，１１’の閉鎖方向側の端部に、全閉時の当接対象部位ｐ（例えば、床面や地面、枠部材等）に当接させるための座板部材１２を、開閉体幅方向にわたって接続している。
【００１８】
各スラット１１（又は１１’）は、金属材料や合成樹脂材料等の剛性材料によって、表面側を突出させるとともに裏面側を凹ませた断面略凹状に形成され、その上下端側に、隣接する他のスラットを回動可能に連結するカール状の接続部１１ａ，１１ａを有する。
そして、前記複数のスラット１１，１１’の内、おおよそ膝の高さから腰の高さ程の位置に配置された一つのスラット１１’には、後述する被支持部材４１等が配設される。
【００１９】
スラット１１’は、図３に示すように、上下方向の略中央側に、被支持部材４１の前端側部分（詳細には鍵挿入部４１ａ２）を遊挿するための貫通孔１１ｂを有する。この貫通孔１１ｂの上下方向の寸法は、支持部材１３及び被支持部材４１をスラット１１’に装着するのに伴って鍵挿入部４１ａ２が上下にスライドした際に、そのスライドを許容するように設定されている。
【００２０】
また、スラット１１’の裏面には、上下方向に間隔を置いて向かい合う凹状の被係合部１１ｃ，１１ｄを有する。
上側の被係合部１１ｃは、スラット１１の幅方向（図１によれば左右方向）の略全長にわたって連続に設けられた下向き開口の凹部である。
この被係合部１１ｃは、図示例によれば、スラット１１’における上端側の傾斜面１１ｅと、該傾斜面１１ｅの裏面から垂下する下向き縁部分１１ｆと、スラット１１’の平坦状の前端部１１ｇの上端側部分とによって囲まれた凹状の空間である。
【００２１】
また、被係合部１１ｄは、スラット１１の幅方向の略全長にわたって連続に設けられた上向き開口の凹部である。
この被係合部１１ｄは、図示例によれば、スラット１１’の平坦状の前端部１１ｇの下端側部分と、該部分から裏面側へ突出する突片部１１ｈと、該突片部１１ｈの突端から上方へ突出する上向き縁部分１１ｉとによって囲まれた凹状の空間である。
【００２２】
上側の被係合部１１ｃの上下方向の深さは、下側の被係合部１１ｄの上下方向の深さよりも深く設定されている。
より詳細に説明すれば、被係合部１１ｃの上下方向の深さは、後述する支持部材１３の上端部を被係合部１１ｃに挿入して支持部材１３を上方へスライドした状態（図３（ａ）参照）で、同支持部材１３の下端部が被係合部１１ｄ内に挿入され、その後、支持部材１３を自重により下方へスライドして被係合部１１ｄ内に挿入した際に、支持部材１３の上端部が被係合部１１ｃ内から抜けないように（図３（ｂ）及び図４（ａ）参照）、適宜に設定されている。
【００２３】
支持部材１３は、スラット１１’の裏面側で被支持部材４１を支持するための部材である。この支持部材１３は、被支持部材４１を止着するための止着片部１３ａと、止着片部１３ａ上端から上方へ延設された係合部１３ｂと、止着片部１３ａ下端から下方へ延設された係合部１３ｃとからなり、図示例によれば、スラット１１’の横幅方向へ連続する長尺状に形成される（図１及び２参照）。
【００２４】
止着片部１３ａは、平板状に形成され、その上下方向の略中央側には被支持部材４１の後端部（詳細には円筒部４１ａ３）を挿通して取り付けるための取付孔１３ａ１が設けられ、該貫通孔の上下両側には、固定部材５０を止着する止着具６０（例えばネジやボルト等）を挿通するための貫通孔１３ａ２が設けられている。
前記止着片部１３ａとスラット１１’裏面との間隔は、支持部材１３及び被支持部材４１をスラット１１’に装着した際に（図３（ｂ）参照）、被支持部材４１（詳細には鍵挿入部４１ａ２）の前端がスラット１１’表面と面一になるように設定されている。
【００２５】
また、支持部材１３における上側の係合部１３ｂは、前記止着片部１３ａよりも上側の部分をスラット内面へ向けて曲げ更に上方へ曲げるようにして形成される。この係合部１３ｂは、スラット１１’における下向き縁部分１１ｆに対しその内側から重なり合う。
【００２６】
下側の係合部１３ｃは、支持部材１３における前記止着片部１３ａよりも下側の部分をスラット内面へ向けて曲げ更に下方へ曲げるようにして形成される。この係合部１３ｃは、スラット１１’における上向き縁部分１１ｉに対しその内側から重なり合う。
【００２７】
また、被支持部材４１は、図示例によれば、施錠装置４０における操作部である。すなわち、施錠装置４０は、操作部（被支持部材４１）の操作によってシャッターカーテン１０の幅方向の端部から鍵バー４２を出没させ、該鍵バー４２をガイドレール２０内の凹凸状の被係止部２１に係脱させる機構である。この機構の基本構造は、例えば特開２００５−１８００３０号公報に開示される周知の構造とすることが可能である。
【００２８】
前記操作部（被支持部材４１）は、略矩形箱状の本体ケース部４１ａ１の前端側に鍵７０を挿入するための鍵挿入部４１ａ２を突出させ、同本体ケース部４１ａ１の後端側に手動で回転操作されるサムターンを有する円筒部４１ａ３を突出させている。また、前記本体ケース部４１ａ１における円筒部４１ａ３の上下両側には、止着具６０（ネジ又はボルト等）を螺合可能な止着穴４１ａ１１が設けられる。
そして、この操作部は、鍵挿入部４１ａ２に挿入される鍵７０による回転操作、または前記サムターンに対する回転操作によって、左右の杆体４１ａ４を横方向へ進退させ、この進退動作をスプリング等を介して前記鍵バー４２（図１参照）へ伝達する。
【００２９】
そして、上記構成の支持部材１３及び被支持部材４１は、スラット１１’に係合した状態では上下方向へスライド可能であるが、後述する固定部材５０が止着されることで不動に固定される。
固定部材５０は、スラット１１における下向き縁部分１１ｆから上向き縁部分１１ｉにわたるとともに、スラット１１の幅方向へ連続する矩形板状の部材であり、被支持部材４１の後端側部分（円筒部４１ａ３）を挿通する挿通孔５１、及び止着具６０を挿通するための貫通孔５２等が設けられる。
【００３０】
図４に示す一例によれば、固定部材５０内面の上端側には、前記下向き縁部分１１ｆに当接させるための凸部５０ａが設けられる。また、固定部材５０内面の下端側には、前記上向き縁部分１１ｉに当接させるための凸部５０ｂが設けられる。
これら凸部５０ａ及び凸部５０ｂの突出寸法は、固定部材５０を止着具６０によって支持部材１３及び被支持部材４１に止着した際、凸部５０ａと凸部５０ｂがそれぞれ下向き縁部分１１ｆと上向き縁部分１１ｉに圧接されるように設定されている。
【００３１】
次に、前記構成の被支持部材４１（操作部）を、支持部材１３を介してスラット１１’に装着する手順について詳細に説明する。
【００３２】
先ず、図２に示すように、被支持部材４１の後端側の円筒部４１ａ３が支持部材１３の取付孔１３ａ１に挿入されることで、被支持部材４１と支持部材１３が一体化される。
なお、被支持部材４１を支持部材１３に固定する手段は、図示しない嵌合構造やねじ止め等の周知の止着手段とすればよい。
【００３３】
次に、一体化された被支持部材４１及び支持部材１３が、スラット１１’に嵌め合わせられる（図３（ａ）（ｂ）参照）。詳細に説明すれば、支持部材１３の上側の係合部１３ｂを対向する被係合部１１ｃに挿入するようにして、支持部材１３を上方へスライドすることで、前記係合部１３ｂを前記被係合部１１ｃに係合し、その後に、同支持部材１３の下側の係合部１３ｃを対向する被係合部１１ｄに挿入するようにして、支持部材１３を下方へスライドすることで、前記係合部１３ｃを前記被係合部１１ｄに係合する。前記スライドの際、被支持部材４１前端側の鍵挿入部４１ａ２は、スラット１１’の貫通孔１１ｂに挿入され、貫通孔１１ｂ内で上下に移動する。
【００３４】
前記のように、係合部１３ｂ，１３ｃをそれぞれ対応する被係合部１１ｃ，１１ｄに係合した状態（図４（ａ）参照）は、支持部材１３及び被支持部材４１が自重によって両被係合部１１ｃ，１１ｄ間の下側に位置することで保持される。
【００３５】
次に、上側の被係合部１１ｃの縁部分１１ｆから下側の被係合部１１ｄの縁部分１１ｉにわたるようにして、支持部材１３に対し固定部材５０が重ね合わせられ、該固定部材５０が止着具６０（ネジ又はボルト等）によって支持部材１３及び被支持部材４１に止着される（図４参照）。これによって、固定部材５０の上端部側（詳細には凸部５０ａ）と、支持部材１３の上側の係合部１３ｂとの間に、下向き縁部分１１ｆが挟持され、固定部材５０の下端部側（詳細には凸部５０ｂ）と、支持部材１３の下側の係合部１３ｃとの間には、上向き縁部分１１ｉが挟持される。
よって、支持部材１３、被支持部材４１、及び固定部材５０が上下左右へ動かないように頑強に固定される。この固定状態においては、被支持部材４１の鍵挿入部４１ａ２の前端面と、スラット１１の表面とが略面一になる。
【００３６】
メンテナンス等のために、被支持部材４１を外す場合には、前記と逆の手順を行えばよい。すなわち、止着具６０及び固定部材５０を外し、支持部材１３及び被支持部材４１を上方へスライドさせて支持部材１３下端の係合部１３ｃを被係合部１１ｄから引き出し、支持部材１３を下方へスライドさせて支持部材１３上端の係合部１３ｂを被係合部１１ｃから引き出し、その後、支持部材１３から被支持部材４１を外せばよい。
【００３７】
また、ガイドレール２０は、例えばアルミ合金材料の引抜き成形または押し出し成形、鋼板や他の金属板の曲げ加工等によって、シャッターカーテン１０の幅方向の端部を囲む断面略コの字状に形成された部材である。このガイドレール２０内には、施錠装置４０の鍵バー４２が係脱される被係止部２１が固定されている。
【００３８】
また、巻取装置３０は、シャッターカーテン１０を送出したり収納したりする収納ケース３１、該収納ケース３１内に回動自在に支持された巻取軸３２、及び該巻取軸３２を巻き取り方向へ付勢するスプリング（図示せず）等を具備し、開閉操作されるシャッターカーテン１０を巻き取ったり繰り出したりする。
【００３９】
上記構成のシャッター装置１によれば、被支持部材４１を修理したり、被支持部材４１を交換したり等する場合に、支持部材１３及び被支持部材４１を、シャッターカーテン１０の厚さ方向の一方側（図示例によれば裏面側）から容易に着脱することができ、ひいては、シャッター装置１に対するメンテナンス性を向上することができる。
【００４０】
しかも、支持部材１３及び被支持部材４１の装着状態において、被支持部材４１の鍵挿入部４１ａ２前端がスラット１１’表面と面一になるため、シャッターカーテン１０が巻取軸３２に巻き重ねられた際に、鍵挿入部４１ａ２の前端とシャッターカーテン１０が擦れて傷が付くようなことを防ぐことができる上、差し込まれる鍵７０による操作性も良好である。
【００４１】
なお、図示例によれば、シャッターカーテン１０の裏面に支持部材１３及び被支持部材４１を設ける構成としたが、他例としては、シャッターカーテン１０の表面に支持部材１３及び被支持部材４１を設ける構成とすることも可能である。
【００４２】
また、図示例によれば、支持部材１３の係合部１３ｂ，１３ｃを凸状に形成し、スラット１１’の被係合部１１ｃ，１１ｄを凹状に形成したが、他例としては、支持部材１３の係合部１３ｂ，１３ｃを凹状に形成し、スラット１１’の被係合部１１ｃ，１１ｄを凸状に形成することも可能である。
【００４３】
また、図示例では、支持部材１３によって支持される被支持部材４１を施錠装置４０の操作部としたが、被支持部材４１の他例としては、施錠装置４０における鍵バー４２やスプリング等、あるいは、シャッターカーテン１０を手動で開放操作するための手掛け部としてもよい。
【００４４】
また、図示例によれば、支持部材１３の上下側に係合部１３ｂ，１３ｃを設けるとともに、スラット１１’の上下に被係合部１１ｃ，１１ｄを設けるようにしたが、他例としては、支持部材１３の左右側に係合部を設けるとともに、スラット１１’の左右側に前記係合部と係止する被係合部を設けるようにすることも可能である。
【００４５】
また、図示例によれば、特に好ましい一例として鍵挿入部４１ａ２の前端とスラット１１’表面とが面一になるようにしたが、他例としては、鍵挿入部４１ａ２の前端をスラット１１’表面よりも内方側に位置した態様とすることも可能である。
【００４６】
また、図示例では、特に好ましい一例として複数のスラット１１，１１’からなるシャッターカーテン１０に対し支持部材１３によって被支持部材４１を支持するようにしたが、他のタイプのシャッターカーテンに対し支持部材１３によって被支持部材４１を支持するようにしてもよい。すなわち、前記シャッターカーテンは、パネルや、パイプ、シート状物、ネット状物を開閉方向へ単数もしくは複数設けてなる態様、あるいはスラット、パネル、パイプ、シート状物、ネット状物等を適宜に組み合わせてなる態様等とすることが可能である。
【００４７】
また、本実施の形態では、鍵挿入部４１ａ２が存在する側の面を「表面」とするとともにその反対側の面を「裏面」としたが、表面と裏面は相対的なものであって、一方の面を表面とすれば他方の面が裏面となる。したがって、例えば、鍵挿入部４１ａ２が存在する側の面を「裏面」とし、その反対側の面の「表面」としてもよい。
【００４８】
また、図示例では、被係合部１１ｃ及び被係合部１１ｄをスラット１１の幅方向の略全長にわたるように設けたが、他例としては、被係合部１１ｃ及び／又は被係合部１１ｄをスラット１１の幅方向の略全長よりも短くしてもよい。すなわち、被係合部１１ｃ及び／又は被係合部１１ｄの長さは、支持部材１３が必要に応じて固定部材５０等により固定されることで容易に抜けたり落下したりしない程度とすれば、任意の長さとすることが可能である。
【００４９】
また、図示例では、特に好ましい態様として、上側の被係合部１１ｃの上下方向の深さを下側の被係合部１１ｄの上下方向の深さよりも深く設定したが、他例として、支持部材１３を挿入可能であり、かつ必要に応じて固定部材５０等で固定して、支持部材１３が容易に抜けたり落下したりしなければ、下側の被係合部１１ｄの上下方向の深さを上側の被係合部１１ｃの上下方向の深さよりも深く設定することも可能である。
【００５０】
また、シャッターカーテン１０を巻取軸３２に巻き取る際の摩擦や騒音等を軽減する観点から、支持部材１３は、スラット１１’上下のカール状の接続部１１ａ，１１ａよりも裏面側（図３及び図４によれば左方向）へ突出していないことが好ましい。換言すれば、支持部材１３は、図３及び４に示すように、スラット１１’裏側の凹部内に収まるように設けられることが好ましい。
また、同様の観点から、図示例以外の好ましい態様として、固定部材５０や被支持部材４１を、スラット１１’上下のカール状の接続部１１ａ，１１ａよりも裏面側へ突出しないようにしてもよい。
【符号の説明】
【００５１】
１：シャッター装置
１０：シャッターカーテン
１１：スラット
１１ｂ：貫通孔
１１ｃ，１１ｄ：被係合部
１１ｆ：下向き縁部分
１１ｉ：上向き縁部分
１３：支持部材
１３ｂ，１３ｃ：係合部
４０：施錠装置
４１：被支持部材（操作部）
４１ａ２：鍵挿入部
【図１】
0005694742.tif 000002
【図２】
0005694742.tif 000003
【図３】
0005694742.tif 000004
【図４】
0005694742.tif 000005